(57)【要約】【課題】各種電子機器の入力操作部に使用される回転操作型電子部品において、ケース凹部内に配された固定接点と弾接する接点刷子の接触子の弾接圧力のばらつきを抑えた回転操作型電子部品を提供する。【解決手段】ケース３と軸受４で構成された本体部１から操作軸２が突出した回転操作型電子部品において、ケース３の凹部内に収容された操作軸２のフランジ部２Ａの下面にかしめ固定された接点刷子１７に、エンボス部１７Ｆを設けた構造とした。接点刷子１７は略円環状で、外側円周部に円周方向に延設されたアーム部を有し、内側円周部となる平板部１７Ａに円弧状のエンボス部を設け、接点刷子１７の剛性を向上させたものとした。【選択図】図１
2014103072.tif 000002
【特許請求の範囲】
【請求項１】
上方開口の凹部底面に固定接点を有した絶縁樹脂製のケースと、上記ケースに配された軸受と、上記ケースの凹部内に回転可能に配されるフランジ部を有した操作軸と、上記フランジ部の下面に配され上記固定接点と接離する接点刷子と、を有した回転操作型電子部品であって、上記接点刷子は、アーム部が設けられた平板部を有し、上記平板部に補強部が形成されていることを特徴とする回転操作型電子部品。
【請求項２】
接点刷子の平板部は、略円環状の薄板で構成されて、補強部は、上記平板部に所定の幅で円環状または円弧状に突出形成された請求項１記載の回転操作型電子部品。
【発明の詳細な説明】
【技術分野】
【０００１】
本発明は、各種電子機器の入力操作部に用いられる回転操作型電子部品に関するものである。
【背景技術】
【０００２】
各種電子機器の入力操作部には、各種機能の設定や調整を行うために、回転操作型電子部品が多く用いられている。
【０００３】
以下に、従来の回転操作型電子部品について図５〜図７を用いて説明する。
【０００４】
図５は従来の回転操作型電子部品の断面図、図６は同分解斜視図、図７は同接点刷子の平面図である。
【０００５】
同図に示すように、従来の回転操作型電子部品は、本体部１から回転可能に保持された操作軸２の軸部が上方に突出している。本体部１は絶縁樹脂製のケース３の上方に軸受４が装着されて構成されている。軸受４は、上方に突出した円環状の円筒部４Ａを備え、円筒部４Ａの付け根部分にケース３の上面と略同形な鍔部４Ｂが設けられていて、この鍔部４Ｂがケース３上面に配されている。
【０００６】
ケース３は上面視略円形で上方に開口した凹部を有しており、凹部底面にはエンコーダ用の所定の接点パターンに形成された固定接点５が構成されている。
【０００７】
操作軸２は絶縁樹脂製で、操作軸２の軸部が軸受４の円筒部４Ａ内壁によって回転可能に保持されて円筒部４Ａ内から上方に突出している。操作軸２の軸部下方に設けられたフランジ部２Ａはケース３の凹部内に収容されていて、フランジ部２Ａ下面がケース３の凹部底面と所定の寸法を開けて対向している。
【０００８】
操作軸２のフランジ部２Ａの下面には、弾性を持った薄板金属製の接点刷子７が配されている。接点刷子７は、略円環状の平板部７Ａに所定の角度ピッチで設けられた複数のかしめ孔７Ｂ、７Ｃ内に、フランジ部２Ａの下面から下方向きに突出した複数の突起部２Ｂがそれぞれ挿入されて、その突起部２Ｂの先端がかしめられることで、操作軸２のフランジ部２Ａ下面に固定されている。
【０００９】
接点刷子７は、平板部７Ａから所定の幅で延設した一対のアーム部７Ｄが所定の角度ピッチで複数配されている。
【００１０】
アーム部７Ｄはその付け根部分から下方に折り曲げられていて、その先端部分に形成された接触子７Ｅがケース３の凹部底面の所定の位置と弾接している。つまり、下方に折り曲げられた接点刷子７のアーム部７Ｄは、その先端の接触子７Ｅが凹部底面と弾接することで、僅かに上方に撓んでいる。
【００１１】
操作軸２のフランジ部２Ａ上面には、放射状の凹凸が形成されていて、軸受４の下方にかしめ固定されているクリックバネ６と弾接することで、操作軸２を回転させたときに、所定の回転角度に応じたクリック節度が得られるものになっている。
【００１２】
操作軸２の軸部を回転操作すると、フランジ部２Ａ下面に固定されている接点刷子７が共回りして、接点刷子７の接触子７Ｅがケース３の凹部底面を摺動する。そして、操作軸２の回転操作に応じて、接点刷子７の接触子７Ｅが凹部底面に配された固定接点５とそれぞれ接離することで固定接点５に所定の導通がなされて、ケース３の側面から導出された端子９より所定の出力信号が得られるものになっている。
【００１３】
以上のように、従来の回転操作型電子部品は、フランジ部２Ａ下面にかしめ固定された接点刷子７の接触子７Ｅが、ケース３の凹部底面と弾接すると共に、操作軸２の回転操作に応じて凹部底面上を摺動して、固定接点５とそれぞれ接離するものであった。
【００１４】
なお、この出願の発明に関連する先行技術文献情報としては、例えば、特許文献１が知られている。
【先行技術文献】
【特許文献】
【００１５】
【特許文献１】特開平１１−２７３５０４号公報
【発明の概要】
【発明が解決しようとする課題】
【００１６】
しかしながら、従来の回転操作型電子部品は、接点刷子７のかしめ固定が不十分であると、平板部７Ａとフランジ部２Ａ下面との間に隙間が生じてしまい、その組み込み完成状態で、アーム部７Ｄからの反力の影響によってカシメ孔７Ｂ、７Ｃ周辺などの平板部７Ａ位置が変形して接触子７Ｅの弾接圧力が不安定なものになることがあり、かしめ工程の仕上がりの管理を十分にする必要があった。
【００１７】
本発明は、このような従来の課題を解決するものであり、接点刷子の平板部の変形を抑制し、接触子の弾接圧力のばらつきを抑えることが可能な回転操作型電子部品を提供することを目的とする。
【課題を解決するための手段】
【００１８】
上記目的を達成するために本発明は、以下の構成を有するものである。
【００１９】
本発明は、上方開口の凹部底面に固定接点を有した絶縁樹脂製のケースと、上記ケースに配された軸受と、上記ケースの凹部内に回転可能に配されるフランジ部を有した操作軸と、上記フランジ部の下面に配され上記固定接点と接離する接点刷子と、を有した回転操作型電子部品であって、上記接点刷子は、アーム部が設けられた平板部を有し、上記平板部に補強部が形成されていることを特徴とする回転操作型電子部品としたものである。
【００２０】
これであれば、接点刷子の平板部の強度が確保でき、平板部の変形が抑えられるという作用を有する。
【発明の効果】
【００２１】
以上のように本発明によれば、接点刷子の平板部の変形が抑えられ、接触子の弾接圧力のばらつきを抑えた回転操作型電子部品を提供できるという有利な効果が得られる。
【図面の簡単な説明】
【００２２】
【図１】本発明の一実施の形態による回転操作型電子部品の断面図
【図２】同分解斜視図
【図３】同接点刷子の平面図
【図４】本発明の他の形態による回転操作型電子部品の接点刷子の平面図
【図５】従来の回転操作型電子部品の断面図
【図６】同分解斜視図
【図７】同接点刷子の平面図
【発明を実施するための形態】
【００２３】
以下、本発明の実施の形態について、図１〜図４を用いて説明する。なお、従来の技術の項で説明した構成と同一構成の部分には同一符号を付して、詳細な説明を簡略化する。
【００２４】
（実施の形態）
図１は本発明の一実施の形態による回転操作型電子部品の断面図、図２は同分解斜視図、図３は同接点刷子の平面図である。
【００２５】
同図に示すように、当該実施の形態のものは、従来のものと同様に、絶縁樹脂製のケース３の上方に軸受４が装着されて構成された本体部１から操作軸２の軸部が上方に突出している。軸受４は、上方に突出した円環状の円筒部４Ａを備え、円筒部４Ａの付け根部分にケース３の上面と略同形な鍔部４Ｂが設けられていて、この鍔部４Ｂがケース３上面に配されている。操作軸２は、軸部が軸受４の円筒部４Ａ内壁によって回転可能に保持されて円筒部４Ａ内から上方に突出している。
【００２６】
ケース３は上面視略円形で上方に開口した凹部を有しており、この凹部内に操作軸２の下方に設けられたフランジ部２Ａが収容されて、フランジ部２Ａ下面とケース３凹部底面が所定の寸法を開けて対向している。凹部底面にはエンコーダ用の所定の接点パターンに形成された固定接点５が構成されている。
【００２７】
なお、当該実施の形態のものも、操作軸２のフランジ部２Ａ上面に形成された凹凸が軸受４にかしめ固定されているクリックバネ６と弾接することで、操作軸２を回転させたときに、所定の回転角度に応じたクリック節度が得られるものになっている。
【００２８】
そして、操作軸２の下方のフランジ部２Ａの下面には、弾性を持った薄板金属製の接点刷子１７が配されている。
【００２９】
接点刷子１７は、略円環状の平板部１７Ａに所定の角度ピッチで設けられた複数のかしめ孔１７Ｂ、１７Ｃ内に、フランジ部２Ａに形成された下方に突出する突起部２Ｂがそれぞれ挿入されて、操作軸２のフランジ部２Ａ下面にかしめ固定されている。
【００３０】
さらに、接点刷子１７は、平板部１７Ａから所定の幅で円周方向に延設した一対のアーム部１７Ｄを有していて、その一対のアーム部１７Ｄは、平板部１７Ａを外側から囲む位置に複数設けられていて、所定の角度ピッチでそれぞれ配されている。
【００３１】
接点刷子１７のアーム部１７Ｄは、その付け根部分から下方に折り曲げられていて、アーム部１７Ｄの先端部分に形成された接触子１７Ｅがケース３の凹部底面と弾接している。なお、下方に折り曲げられた接点刷子１７のアーム部１７Ｄは、その先端の接触子１７Ｅが凹部底面と弾接することで、僅かに上方に撓んでいる。
【００３２】
ここに、上述した接点刷子１７は、平板部１７Ａに所定の幅で円弧状に突出形成されたエンボス部１７Ｆが形成されている点が従来のものと異なる。当該エンボス部１７Ｆは、図３などに示すように、略円環状に形成されている平板部１７Ａの内周縁から僅かに外側となる平板部１７Ａ位置に、所定幅を持った上面視円弧状で下方向きに突出形成されている。さらに、エンボス部１７Ｆは所定の角度ピッチで同一円周上に複数配されている。このエンボス部１７Ｆが請求項の補強部に相当するものである。
【００３３】
なお、エンボス部１７Ｆの突出寸法は、接点刷子１７を形成している薄板金属の材厚程度の範囲内に設定すると、当該エンボス部１７Ｆをプレス加工などで形成したときに、接点刷子１７の不要な変形を防ぐことができ好ましい。
【００３４】
そして、操作軸２の軸部を回転操作すると、フランジ部２Ａ下面に固定されている接点刷子１７が共回りして、接触子１７Ｅがケース３の凹部底面を摺動する。これにより、操作軸２の回転操作に応じて、接点刷子１７の接触子１７Ｅが凹部底面に配された固定接点５とそれぞれ接離することで固定接点５に所定の導通がなされて、ケース３の側面から導出された端子９より所定の出力信号が得られる。
【００３５】
ここに、当該実施の形態のものは、接点刷子１７の平板部１７Ａにエンボス部１７Ｆが形成されることで、平板部１７Ａがフランジ部２Ａから浮き上がることを防止している。
【００３６】
つまり、平板部１７Ａにエンボス部１７Ｆが突出形成されることによって、接点刷子１７は従来のものよりも剛性が高いものとなり、アーム部１７Ｄの先端の接触子１７Ｅがケース３の凹部底面と弾接し、アーム部１７Ｄから反力が平板部１７Ａに伝わっても、平板部１７Ａがフランジ部２Ａから浮き上がる向きに変形しにくいものに構成することができる。
【００３７】
このように、当該構成の接点刷子１７は平板部１７Ａの変形が抑えられたものにできるため、かしめ固定が不十分であっても、接点刷子１７の平板部１７Ａの変形を抑制したものに構成でき、接触子１７Ｅの弾接圧力のばらつきを抑え、接触子１７Ｅとケース３の凹部底面との間で安定した接触圧力が保たれるものに構成できる。
【００３８】
以上のように、当該実施の形態によれば、平板部１７Ａに設けたエンボス部１７Ｆによって、平板部１７Ａの剛性が高くなり、平板部１７Ａがフランジ部２Ａ下面から浮き上がる向きに変形することを抑制して、接触子１７Ｅの弾接圧力が不安定なものになることを防止したものとしている。これにより、接触子１７Ｅの弾接圧力のばらつきを抑えた回転操作型電子部品を得ることができる。
【００３９】
なお、エンボス部の形状や数量は、上述した形状に限定されることは無く、上面視楕円形状のエンボスを円周状に複数配置したものや、エンボス部を１つの円環状のもので構成しても良い。また、その断面形状としては、Ｕ字状やＶ字状などであればよい。
【００４０】
また、以上には補強部としてなるエンボス部を略円環状に形成されている平板部１７Ａの内周縁から僅かに外側となる位置に形成したものを主に説明したが、図４に示すように、補強部を平板部１７Ａの内周縁部に設けた構成としても良い。
【００４１】
図４は、本発明の他の形態による回転操作型電子部品の接点刷子の平面図であり、同図に示すように、接点刷子２７は、補強部としてなる加工部２７Ｆが平板部１７Ａの内周縁部に配されている。
【００４２】
なお、当該接点刷子２７は、平板部１７Ａにかしめ孔１７Ｂ、１７Ｃが設けられていることや、平板部１７Ａから延設されたアーム部１７Ｄの先端部分に接触子１７Ｅが形成されていることは上述した接点刷子１７と同様のため、それらの詳細な説明は省略する。
【００４３】
接点刷子２７に設けられた加工部２７Ｆは、平板部１７Ａの内周縁に沿って全周に亘って、筒状に、内周縁部を僅かに上方に突出させるように突出形成されている。これにより平板部１７Ａの剛性を向上させることができる。
【００４４】
また、加工部は平板部の内周に沿って筒状に突出したものに限定されることはなく、円弧状に突出形成されたものを平板部の内周に沿って複数設けたものにしてもよい。さらにはその突出方向も下向きに突出形成したものや、これらの思想を組み合わせて、複数の円弧状のものを適宜上下方向に突出させたものにしてもよい。
【００４５】
なお、上述した思想により形成されるものを平板部１７Ａの外縁部に構成されたものとしてもよい。
【００４６】
なお、上述した接点刷子を用いて回転操作型電子部品を構成したときに、組み合わせ状態で、操作軸のフランジ部下面などに、突出形成された接点刷子の補強部が干渉しないように、所定の構成部品の形状を適宜設計するとよい。
【００４７】
以上には、加工部を突出形成して設けたもので説明したが、形状を変化させずにプレスなどで加工硬化させて加工部を構成してもよい。
【００４８】
また、以上に述べたエンボス部などの補強部を形成することで、接点刷子を従来のものよりも平板部の剛性を向上させたものにできるため、平板部の所定の剛性を維持する範囲内で、平板部の径方向での幅を小さいものに設定し、その分を、代わりにアーム部の付け根の幅寸法へ付加して大きい寸法設定にすることができる。つまり、接点刷子の上面視外形寸法を大きくすることなく、アーム部の付け根の幅寸法を大きいものに設定できるため、従来のものよりもアーム部のバネ特性を向上させることができ、安定した接触圧力を維持することができ有用である。
【００４９】
以上には操作軸２を回転させてエンコーダとして機能するものを例として説明したが、可変抵抗器などが機能する構成のものなどとしてもよい。
【００５０】
また、上記には回転操作のみが可能な回転操作型電子部品について説明したが、操作軸を回転操作させるだけでなく、下方向に向けて押圧操作可能なスイッチ機構を設けた構成のものに、本発明の思想を適用してもよい。
【００５１】
また、接点刷子は上面視円環状のものであれば、複数のアーム部の構成などが、対称なものになり、それぞれの接触子の接触圧力が均一なものになりやすくて望ましいが、円環状の一部を径方向に切りかかれた所謂馬蹄形状のもので構成したり、所定の角度で形成された上面視円弧状の接点刷子を複数、同一円周上に配して構成しても良い。
【産業上の利用可能性】
【００５２】
本発明による回転操作型電子部品は、接点刷子の平板部の変形が抑えられたものにでき、接触子の弾接圧力のばらつきを抑えた回転操作型電子部品を提供できるため、各種電子機器の入力操作部に有用である。
【符号の説明】
【００５３】
１  本体部
２  操作軸
２Ａ  フランジ部
２Ｂ  突起部
３  ケース
４  軸受
４Ａ  円筒部
４Ｂ  鍔部
５  固定接点
６  クリックバネ
９  端子
１７  接点刷子
１７Ａ  平板部
１７Ｂ、１７Ｃ  かしめ孔
１７Ｄ  アーム部
１７Ｅ  接触子
１７Ｆ  エンボス部
２７Ｆ  加工部
【図１】
2014103072.tif 000003
【図２】
2014103072.tif 000004
【図３】
2014103072.tif 000005
【図４】
2014103072.tif 000006
【図５】
2014103072.tif 000007
【図６】
2014103072.tif 000008
【図７】
2014103072.tif 000009